(57)【要約】【課題】軽量であり低コスト品でありながら、留め付けた外壁板５０の荷重により支承部１４が変形しないようにした留め付け金具１０を得る。形成される外壁施工構造は、外壁板の留め付け状態を長期にわたり安定した状態に保持することができる。【解決手段】一枚の鋼板を折り曲げ加工して形成した留め付け金具において、支承部１４を形成する水平部１５を、外壁板裏面支持部１３の内側に折り曲げられた下位の部分１３ｂの上端縁で裏側から支持するようにする。【選択図】  図１
2005016060.tif 000002
【特許請求の範囲】
【請求項１】
一枚の鋼板を折り曲げ加工して形成される留め付け金具であり、躯体側への固定部である基板部と、基板部の左右側端部における側板部と、側板部の先端を基板とほぼ平行に折り曲げて形成した上下方向の外壁板裏面支持部と、左右の外壁板裏面支持部の間に左右方向に形成され先端が前記外壁板裏面支持部よりも前方に位置している外壁板上下端の支承部とを備えた留め付け金具であって、
前記支承部は基板部の下端から水平方向に折り曲げられた水平部と、水平部に続く立ち上がり部と、立ち上がり部に続く前面板部とを有し、かつ、前記外壁板裏面支持部のうち支承部の水平部よりも下方に延出している部分は内側に折り曲げられていて、その上端縁で前記支承部の水平部が下方へ向けて変位するのを規制できるようになっていることを特徴とする留め付け金具。
【請求項２】
支承部を構成する少なくとも立ち上がり部の一部は前方下方へ向けて折れ曲がった立ち下がり部とされていることを特徴とする請求項１に記載の留め付け金具。
【請求項３】
支承部を構成する前面板部の両側下端近傍は基板側へ折曲しており、該折曲部は外壁板を留め付けたとき下外壁板に圧接するようになっていることを特徴とする請求項１または２に記載の留め付け金具。
【請求項４】
基板部、側板部および支承部の水平部のいずれかまたはすべてに補強用のリブが形成されていることを特徴とする請求項１〜３のいずれかに記載の留め付け金具。
【請求項５】
請求項１〜４のいずれかに記載の留め付け金具がその基板部を躯体面に当接して多段に取り付けてあり、少なくとも上端縁と下端縁に実を有する外壁板が、裏面を留め付け金具の外壁板裏面支持部に当接し、上端縁の実部を上位に位置する留め付け金具の支承部に係止し、下端縁の実部を下位に位置する留め付け金具の支承部に係止した状態で、多段に留め付けられていることを特徴とする外壁施工構造。
【発明の詳細な説明】
【０００１】
【発明の属する技術分野】
本発明は、例えば窯業系の外壁板を建物躯体に留め付けるときに用いる留め付け金具、およびその留め付け金具を用いた外壁施工構造に関する。
【０００２】
【従来の技術】
建物の外壁施工として、図６に示すような少なくとも上端縁と下端縁に実部６１，６２を有する外壁板６０を、図７に示す形態の留め付け金具７０用いて、図８に示すように構造躯体（柱、間柱）１に直接留め付け施工することが行われる（例えば、特許文献１：特開２００２−１２９７２９号公報など参照）。この施工方法は、従来のように胴縁を使用しないため、作業性も向上し、施工コストの大幅な削減が可能となる。
【０００３】
留め付け金具７０は、一枚の鋼板を折り曲げ加工して形成されており、構造躯体側への固定部である基板部７１と、基板部７１の左右側端部における側板部７２と、側板部７２の先端を基板７１とほぼ平行に折り曲げて形成した上下方向の外壁板裏面支持部７３と、左右の外壁板裏面支持部７３の間に左右方向に形成され先端が前記外壁板裏面支持部７３よりも前方に位置している外壁板上下端支承部７４とを備える。支承部７４は、上水平部７５と立ち上がり部７６とからなる上外壁板係止部７４ａと、下水平部７７と立ち下がり部７８とからなる下外壁板係止部７４ｂと、立ち上がり部７６と立ち下がり部７８を接続する前面板部７９とからなっている。
【０００４】
図８に示すように、上外壁板６０ａは、その下端縁の実部６２の切り込み部６３に留め付け金具７０の立ち上がり部７６および前面板部７９の上端を嵌入させかつ裏面を外壁板裏面支持部７３に当接した状態で上外壁板係止部７４ａにより係止されて留め付けられ、下外壁板６０ｂは、その上端縁の実部６１の斜面部６４を立ち下がり部７８に衝接させかつ裏面を外壁板裏面支持部７３に当接した状態で下外壁板係止部７４ｂに係止しされて留め付けられている。
【０００５】
図７に示す留め付け金具７０は、支承部７４が、２重に積層した水平部７５，７７やそれらに連続する基板部７１の全横幅に亘る前面板部７９とで構成されており安定性は高い。そのために、図８に示すように外壁板を留め付けたときに、上外壁板６０ａの荷重により支承部７４が下方に折れ曲がるようなことはなく、さらに、留め付けた上下の外壁板６０ａ，６０ｂの裏面に大きな風圧がかかったときにも、横幅の広い立ち上がり部７６，立ち下がり部７８および前面板部７９の全体で前方向きの荷重を受けることができるので、留め付け状態が不安定となることはない。しかし、水平部７５，７７が２重構造となるように鋼板を折り曲げ加工していることから、やや重くかつ使用鋼板量も大きくなって高コストとなる。
【０００６】
特許文献２（特開昭６３−１９７４９８号公報）には、図９に示すように、やはり、一枚の鋼板を折り曲げ加工して形成される留め付け金具９０が示される。この留め付け金具９０も、図７に示した留め付け金具７０と同様、躯体側への固定部である基板部９１と、側板部９２と、外壁板裏面支持部９３とを備え、かつ、先端が外壁板裏面支持部９３よりも前方に位置する外壁板上下端の支承部９４を備えている。躯体側への留め付け金具９０の固定、固定した留め付け金具９０を用いての外壁板６０ａ，６０ｂの留め付けも、図８に示したとほぼ同様にして行うことができる。
【０００７】
また、図９に示す留め付け金具９０では、支承部９４が基板部９１の下方領域を前方に水平に折り曲げた水平部９５と、水平部９５の先端の両側部を上方に折り返した上方前面板部９６，９６と、その間を下方に折り曲げて形成した下方前面板部９７とからなっており、支承部９４の全体が一枚板構成であることから、留め付け金具９０全体の軽量化と低コスト化が図れる。また、図７，図８に示したものと同様、外壁板を留め付けた状態で、外壁板６０裏面と基板部９１との間には側板部９２の高さ分の空間が形成されるので、通気性も確保でき、留め付けた外壁板の裏面に結露が生じるのも回避できる。
【特許文献１】特開２００２−１２９７２９
【特許文献２】特開昭６３−１９７４９８号
【０００８】
【発明が解決しようとする課題】
しかし、図９に示す形態の留め付け金具９０は、支承部９４の水平部９５が一枚板構成であることから、やや強度が不足し、留め付けた上外壁板６０ａの重さによっては、下向きに傾斜した状態で変形する場合がある。また、上外壁板６０ａの下端の実部６２は、基板部９１の１／３程度の横幅である左右２箇所の上方前面板部９６，９６で係止されており、外壁板の裏面に大きな風圧がかかって外壁板に捻れが発生したような場合、左右いずれか一方の上方前面板部９６に負荷が集中し、その部分の上方前面板部９６に変形が生じる恐れがある。また、下外壁板６０ｂの上端の実部６２は、基板部９１の１／３程度の横幅である中央１箇所の下方前面板部９７で係止されており、同様の理由でその部分に変形が生じる恐れがある。このような変形により留め付けが不安定となる。
【０００９】
本発明は、上記のような事情に鑑みてなされたものであり、図９に示すような、一枚の鋼板を折り曲げ加工して形成した留め付け金具において、少ない鋼板量で製造が可能であり、軽量化と低コスト化が図れることに加え、支承部を構成する水平部や前面板部に変形が生じがたくして、安定性の高い留め付け態様を長期にわたり保持することのできるようにした、さらに改良された留め付け金具を提供することを目的とする。また、本発明の他の目的は、前記の留め付け金具を用いた安定性の高い外壁板施工構造を提供することを目的とする。
【００１０】
【課題を解決するための手段】
本発明による留め付け金具は、一枚の鋼板を折り曲げ加工して形成される留め付け金具であり、躯体側への固定部である基板部と、基板部の左右側端部における側板部と、側板部の先端を基板とほぼ平行に折り曲げて形成した上下方向の外壁板裏面支持部と、左右の外壁板裏面支持部の間に左右方向に形成され先端が前記外壁板裏面支持部よりも前方に位置している外壁板上下端の支承部とを備えた留め付け金具であって、前記支承部は基板部の下端から水平方向に折り曲げられた水平部と、水平部に続く立ち上がり部と、立ち上がり部に続く前面板部とを有し、かつ、前記外壁板裏面支持部のうち支承部の水平部よりも下方に延出している部分は内側に折り曲げられていて、その上端縁で前記支承部の水平部が下方へ向けて変位するのを規制できるようになっていることを特徴とする。
【００１１】
上記の留め付け金具では、支承部を構成する水平部は一枚板構成であるが、そこより下位に位置する外壁板裏面支持部の部分は内側に折り曲げて形成されていて、その上端は前記水平部の裏面側にごく接近してあるいは衝接して位置するようになる。そのために、留め付けた上外壁板の重みにより支承部に上からの荷重がかかり、水平部が下方に向けて変位しようとしても、その変位は水平部が外壁板裏面支持部の内側への折り曲げ部の上端に衝接した時点で抑制されるので、結果として、水平部に変形は生じ難くなる。なお、支承部より上位に位置する外壁板裏面支持部の部分は、外壁板の安定した留め付けを考慮すると、外側に折り曲げられていることが好ましいが、内側に折り曲げられていても所期の目的は達成可能である。
【００１２】
さらに、留め付けた上外壁板の背面にかかる負荷を直接受けることとなる前記水平部に続く立ち上がり部は基板部の全横幅に相当する横幅を持ち、かつ同じ幅の前面板部に連接しているので、負荷は全体に分散して支持される。そのために、背圧により外壁板に捻れが生じて立ち上がり部の一部に背圧による荷重が集中したとしても、立ち上がり部や前面板部に変形が生じるのを効果的に阻止することができる。また、下外壁板に背圧がかかったときも、その上縁部に作用する負荷は基板部の全横幅に相当する横幅を持つ前面板部の下方部分によって分散支持されるので、前面板部が容易に変形することもない。そのことから、本発明による留め付け金具では、支承部を含めすべて一枚板構成であり、軽量化と低コスト化のメリットをそのまま維持しながら、安定性の高い留め付け態様を長期にわたり保持することが可能となる。
【００１３】
本発明の留め付け金具の他の態様では、前記支承部を構成する少なくとも立ち上がり部の一部が水平部から前方下方へ向けて折り曲げられ、前方下方へ傾斜した立ち下がり部とされる。この立ち下がり部は、外壁板を留め付けたときに、下外壁板の上縁に対する係止部として機能する。この態様の場合、上外壁板が背圧を受けたときにその下縁が衝接することとなる前記支承部の立ち上がり部は、２箇所に分割されることとなるが、分割された２箇所の立ち上がり部は基板部の全横幅に相当する横幅を持つ前面板部に連接しているので、上記した留め付け金具と同様、立ち上がり部の変形は効果的に抑制される。
【００１４】
本発明による留め付け金具において、好ましくは、支承部を構成する前面板部の両側下端近傍を基板側へ折曲した形状とし、該折曲部は外壁板を留め付けたとき下外壁板に圧接するようにされる。この態様では、下外壁板を外壁板裏面支持部に向けて押圧した姿勢に維持できるので留め付け状態が安定すると共に、折曲部の先端を下外壁板表面に差し込むような形状とすることにより、楔効果による固定安定性も確保できる。
【００１５】
さらに好ましくは、基板部、側板部および支承部の水平部のいずれかまたはすべてに補強用のリブが形成される。このような補強リブを設けることによって、基板部や側板部の強度を大きくし、さらに、支承部の曲げ変形に対する抗力を大きくすることができるので、留め付け状態はさらに安定する。
【００１６】
本発明は、また、上記の留め付け金具を用いた外壁施工構造として、留め付け金具がその基板部を躯体面に当接して多段に取り付けてあり、少なくとも上端縁と下端縁に実を有する外壁板が、裏面を留め付け金具の外壁板裏面支持部に当接し、上端縁の実部を上位に位置する留め付け金具の支承部に係止し、下端縁の実部を下位に位置する留め付け金具の支承部に係止した状態で、多段に留め付けられていることを特徴とする外壁施工構造をも開示する。
【００１７】
上記の外壁施工構造では、留め付け金具が軽量であることから施工が容易であり、また、留め付けた外壁板の裏面には通気用の空間が形成されていて結露などの不都合が生じるのは回避できる。さらに、留め付け金具の外壁板上下端支承部は上からの荷重のみならず背圧に対しても高い抵抗を示し容易に変形することはないので、安定した留め付け状態を長期にわたり維持することができる。
【００１８】
【発明の実施の形態】
以下、図面を参照しながら、本発明による留め付け金具とそれを用いた外壁施工構造の一実施の形態を説明する。図１は本発明による留め付け金具１０の一実施の形態を示す斜視図であり、図２はその展開図を示す。また、図３はそれを用いた外壁施工構造を示す概略断面図である。留め付け金具１０は、例えばステンレス鋼板あるいは合金メッキ鋼板などの一枚の鋼板からの打ち抜きと折り曲げ加工により形成される。
【００１９】
留め付け金具１０は、躯体側への固定部となる平板状の基板部１１と、基板部１１の左右方向の両端をほぼ９０゜折り曲げて形成した上下方向の側板部１２，１２と、該側板部１２の先端を基板１１とほぼ平行となるように折り曲げて形成した上下方向の外壁板裏面支持部１３、１３とを備え、さらに、基板部１１の下側の領域を折り曲げ加工して形成した外壁板上下端の支承部１４を備える。該支承部１４は、左右の側板部１２，１２の間に左右方向に向けて形成されており、その先端（前面板部１７）は前記外壁板裏面支持部１３よりも数ｍｍ程度前方に位置している。
【００２０】
図示されるように、支承部１４は、基板部１１の下端部を前方に９０゜折り曲げて形成した水平部１５と、該水平部１５の先端から斜め上方に折り曲げて形成した立ち上がり部１６と、該立ち上がり部１６の上端から下方に向け基板部１１とほぼ平行となるように折り曲げて形成した前面板部１７とで形成される。前面板部１７の下端は水平部１５よりも下方まで延出している。水平部１５の先端は外壁板裏面支持部１３よりもわずかに前方に位置しており、また、前面板部１７の左右両側の下端近傍は内側（裏側）への折曲部１７ａとされている。なお、立ち上がり部１６の傾斜角度は留め付けようとする外壁板の下縁実部の形状に応じて設定される。薄手の外壁板の場合には急な立ち上がり角度とされ、厚手の外壁板の場合にはより緩やかな立ち上がり角度とされるのが普通である。
【００２１】
左右の外壁板裏面支持部１３，１３は同じ形状であり、次のようにして形成される。すなわち、外壁板裏面支持部１３の、基板１１と水平部１５の折り曲げ部の延長上の部位には切り欠き１８が形成されており（図２参照）、加工時に、側板部１２を立ち上げた状態で、外壁板裏面支持部１３の前記切り欠き１８より上位の部分１３ａは外側に向けて基板１１と平行となるように折り曲げられ、切り欠き１８よりも下位の部分１３ｂは内側に向けて、やはり基板１１と平行となるように折り曲げられる。なお、部分１３ａは内側に向けて折り曲げることも可能である。
【００２２】
外壁板裏面支持部１３の前記切り欠き１８より上位の部分１３ａと下位の部分１３ｂは共に基板１１と平行状態とされており、後記するように、外壁板５０を留め付けた状態では、双方とも当該外壁板５０の裏面側を支承する機能を果たすことができる。さらに、下位の部分１３ｂは内側に折り曲げられていることにより、その上端縁は水平部１５の裏面直下に位置しており、水平部１５が下方に折れ曲がろうとするときに、バックアップ機能を果たす。
【００２３】
図示の例では、基板部１１には固定用のビス孔１９が設けてある。また、ビス孔１９の上方には、基板１１および側板部１２にわたるようにして補強用のリブ１１ｂが水平方向に形成されており、基板１１と水平部１５のコーナー部にも同様に補強用のリブ１１ｃが適数形成されている。さらに、側板部１２にも縦方向に補強用のリブ１２ａが形成されている。しかし、このようなリブは省略することもできる。基板１１は支承部１４を構成する水平部１５の領域に一部入り込んだ部分１１ａを有しており、基板１１の有効面積を大きくして、躯体への取り付け時の安定を一層確実している。しかし、このような部分も省略することができる。
【００２４】
図３は前記留め付け金具１０を用いて、図４に示す外壁板５０を留め付けた状態を示している。なお、この外壁板５０は、上縁の実部５１、特に上縁下実部５１ａの形状が角形形状とされている点で、従来のこの種外壁板（例えば図６に示した形状の外壁板６０）と形状を異にしている。下縁の実部５２や切り込み部５３の形状は従来のものと同じである。
【００２５】
図３に示すように、留め付け金具１０は、この例では基板部１１に形成したビス孔１９を利用して、建物躯体１にビス３によって固定される。その際に、下位に位置する下外壁板５０ｂの上縁部の前記断面角形形状である上縁下実部５１ａが、留め付け金具１０における外壁板裏面支持部１３の下位の部分１３ｂと、水平板１５の裏面と、前板部分１７の裏面とで形成される空間内に嵌合するようにして位置決めをし、その状態でビス孔１９を利用して固定する。この例において、前面板部１７の左右両側は折曲部１７ａとされており、外壁板５０ｂは裏側（外壁板裏面支持部１３の下位の部分１３ｂ側）に押し付けられる。場合によっては、楔作用も働いて留め付け状態は一層安定する。
【００２６】
所要個数の留め付け金具１０を同様にして水平方向に所定間隔で固定した後、上外壁板５０ａを、その下縁部の実部５２の切り込み部５３に留め付け金具１０の立ち上がり部１６および前面板部１７の上端が入り込むようにして、必要枚数横方向に配置する。配置した上外壁板５０ａを下外壁板として、さらに、その上縁部の実部５１に前記と同様にして留め付け金具１０を取り付けた後、打ち付け固定する。以下、必要な段数だけ同じ工程を繰り返すことにより、本発明による外壁施工構造は完成する。
【００２７】
上記の外壁施工構造では、留め付けた外壁板５０の裏面と建物躯体１（または胴縁）との間には、留め付け金具１０の左右の側縁に形成した側板部１２により、その高さ分の空間Ｓが形成されるので、外壁板裏面の通気は良好となり、結露などの不都合が生じることはない。留め付けた上外壁板の重みにより支承部１４の水平部１５が下方に向けて変位しようとしても、水平部１５の裏面に近接して位置する外壁板裏面支持部１３の内側に折り曲げられた前記下位の部分１３ｂの上端が水平部１５の裏面に衝接することから、その変形は確実に阻止される。
【００２８】
さらに、何らかの事情により留め付けた上外壁板５０ａの裏面に大きな背圧が生じた場合でも、それによる負荷は、支承部１４を構成する立ち上がり部１６と前面板部１７とで分散支持されるので、支承部１４に変形が生じることはない。また、下外壁板５０ｂに大きな背圧が作用しても、その負荷は前面板部１７の全体で分散支持されるので、やはり支承部１４に変形が生じることはない。そのために、本発明による外壁施工構造では、留め付け金具が軽量であることから施工が容易であるばかりでなく、留め付け状態を長期にわたり安定した状態に保持することができる。
【００２９】
さらに、図１〜図３に示す形態の留め付け金具１０では、前記のように、外壁板裏面支持部１３の下位の部分１３ｂと、水平部１５の裏面と、前面板部１７の裏面とで形成される空間の断面形状は角形であり、従って、留め付ける下外壁板５０ｂの上縁下実部５１ａの断面形状を角形のものとすることができるので、図６に示す６１の上縁下実部に斜面部６４を持つ形状の外壁板６０と比較して、上縁下実部５１ａの厚さを厚くすることができ、大きな背圧が生じたときでも、前面板部１７に対する十分な対抗力を持つことができる。
【００３０】
図５は本発明による留め付け金具の他の態様を示している。この留め付け金具２０は、支承部１４を構成する立ち上がり部１６の一部が前方下方へ向けて折れ曲がった立ち下がり部２１とされている点で、上記した留め付け金具１０と本質的に相違している。なお、図５では、図１に示した留め付け金具１０での部材の同じ機能を奏する部材には同じ符号を付しており、詳細な説明は省略する。図５に示す例において、立ち下がり部２１が連続する水平部１５の中央部１５ａも水平部１５と分離しており、かつ、水平部１５よりも幾分下位に位置している。なお、２２は基板１１の膨出部２３の斜面に形成した釘孔である。
【００３１】
外壁板の留め付け時に、立ち下がり部２１と水平部１５の中央部１５ａは外壁板の上縁の実部に係合して、留め付け状態を安定化させる。傾斜した立ち下がり部２１を有することから、この形態の留め付け金具２０は、図６に示すように、上端縁の実部６１に斜面部６４を有する形態の外壁板６０を留め付けるのに好適に用いられる。立ち下がり部２１を形成することにより、支承部１４の立ち上がり部１６は、２箇所に分割されることとなるが、分割された２箇所の立ち上がり部は基板部の全横幅に相当する横幅を持つ前面板部１７に連接しているので、図１に示した留め付け金具１０と同様、立ち上がり部の変形は効果的に抑制される。また、水平部１５の下方に向けての変位が、外壁板裏面支持部１３の内側に折り曲げられた下位の部分１３ｂにより抑制されるのは、図１の留め付け金具１０と同様である。
【００３２】
【発明の効果】
上記のように本発明による留め付け金具は、軽量であり低コスト品でありながら、留め付けた外壁板の背面に作用する負荷に対して高い安定性を持ち、さらに、留め付けた外壁板の荷重により支承部が変形するのも確実に防止できる。そのために、本発明による外壁施工構造では、外壁板の留め付け状態を長期にわたり安定した状態に保持することができる。さらに、施工も容易であり、かつ、留め付けた外壁板の裏面には通気用の空間が形成され、結露などの不都合が生じることもない。
【図面の簡単な説明】
【図１】本発明による留め付け金具の一実施の形態を示す斜視図。
【図２】図１に示す留め付け金具の展開図。
【図３】図１に示す留め付け金具を用いて外壁板を建物躯体に留め付けた状態を説明するための断面図。
【図４】外壁板の一例を示す図。
【図５】本発明による留め付け金具の他の実施の形態を示す斜視図。
【図６】外壁板の他の例を示す図。
【図７】従来の留め付け金具の一例を示す図。
【図８】図７に示す留め付け金具を用いて外壁板を建物躯体に留め付けた状態を説明する図。
【図９】従来の留め付け金具の他の例を示す図。
【符号の説明】
１０…本発明による留め付け金具、１１…基板部、１２…側板部、１３…外壁板裏面支持部、１３ａ…外壁板裏面支持部の外側に折り曲げられた上位の部分、１３ｂ…外壁板裏面支持部の内側に折り曲げられた下位の部分、１４…支承部、１５…水平部、１６…立ち上がり部、１７…前面板部、５０…外壁板、５１…上縁部の実、１…躯体
【図１】
2005016060.tif 000003
【図２】
2005016060.tif 000004
【図３】
2005016060.tif 000005
【図４】
2005016060.tif 000006
【図５】
2005016060.tif 000007
【図６】
2005016060.tif 000008
【図７】
2005016060.tif 000009
【図８】
2005016060.tif 000010
【図９】
2005016060.tif 000011